(57)【要約】【課題】行事のスケジュール調整に主催者が関与しなくても、多数の人の要望を満たすスケジュールを作成できるようにする。【解決手段】ＩＤ発行部（２ａ）は、仮スケジュールの認証ＩＤを発行し、少なくとも１人のユーザに通知する。仮スケジュール管理部（２ｃ）は、仮スケジュールデータを生成し、登録する。また、仮スケジュール管理部（２ｄ）は、所定のタイミングで、登録済みの仮スケジュールを本スケジュールとして確定する確定処理を行う。スケジュール編集部（２ｆ）は、認証ＩＤを受け付けた場合に、また確定処理が行われていなければ、登録済みの仮スケジュールを編集するための画面を、認証ＩＤを入力したユーザに提示し、既に確定処理が行われていれば、該ユーザへの上記画面の提示を行わない。【選択図】図１
2013200621.tif 000002
【特許請求の範囲】
【請求項１】
行事の仮スケジュールに固有の認証情報を発行する発行手段と、
前記仮スケジュールを登録する登録手段と、
前記認証情報を、少なくとも一人のユーザに通知する手段と、
前記認証情報を受け付けた場合に、前記認証情報を入力したユーザに、登録済みの前記仮スケジュールに編集に用いる画面を提示する提示手段と、
登録済みの前記仮スケジュールを前記行事の本スケジュールとして確定するための確定処理を実行する確定手段と、
前記提示手段は、
前記認証情報を受け付けた場合に、まだ確定処理が行われていなければ、前記認証情報を入力したユーザに前記画面を提示し、既に確定処理が行われていれば、前記認証情報を入力したユーザに前記画面を提示しないこと、
を特徴とするスケジュール調整支援装置。
【請求項２】
前記仮スケジュールは前記行事の参加予定ユーザを含み、
前記画面を用いて行われた操作の操作内容に応じて、登録済みの前記仮スケジュールを更新する更新手段と、
前記更新手段により前記行事の参加予定ユーザが追加された場合に、追加された参加予定ユーザに、前記認証情報を通知する手段と、をさらに含むこと、
を特徴とする請求項１に記載のスケジュール調整支援装置。
【請求項３】
登録済みの前記仮スケジュールに関するメッセージ投稿板に、特定の文字列を含むメッセージが投稿された場合に、少なくとも一人のユーザに対して警告を行う警告手段、
をさらに含むことを特徴とする請求項１に記載のスケジュール調整支援装置。
【請求項４】
前記仮スケジュールは、前記行事の開催日時又は開催場所を含み、
前記メッセージ投稿板に前記特定の文字列を含むメッセージが投稿された場合に、登録済みの前記仮スケジュールに含まれる開催日時又は開催場所と、登録済みの他の仮スケジュールに含まれる開催日時又は開催場所と、が予め定められた関係にあるか否かを判定する判定手段をさらに含み、
前記警告手段は、
登録済みの前記仮スケジュールに含まれる開催日時又は開催場所と、登録済みの他の仮スケジュールに含まれる開催日時又は開催場所と、が前記予め定められた関係にある場合に、前記投稿板に警告メッセージを投稿すること、
を特徴とする請求項３に記載のスケジュール調整支援装置。
【請求項５】
行事の仮スケジュールに固有の認証情報を発行する発行手段、
前記仮スケジュールを登録する登録手段、
前記認証情報を、少なくとも一人のユーザに通知する手段、
前記認証情報を受け付けた場合に、前記認証情報を入力したユーザに、登録済みの前記仮スケジュールに編集に用いる画面を提示する提示手段、
登録済みの前記仮スケジュールを前記行事の本スケジュールとして確定するための確定処理を実行する確定手段、
としてコンピュータを機能させるためのプログラムであって、
前記提示手段は、
前記認証情報を受け付けた場合に、まだ確定処理が行われていなければ、前記認証情報を入力したユーザに前記画面を提示し、既に確定処理が行われていれば、前記認証情報を入力したユーザに前記画面を提示しないこと、
を特徴とするプログラム。
【発明の詳細な説明】
【技術分野】
【０００１】
本発明は、スケジュール調整支援装置及びプログラムに関する。
【背景技術】
【０００２】
下記特許文献１には、開催予定の会議に関する情報と会議室の予約情報とを照らし合わせることで、上記会議の開催スケジュールを仮決めし、仮決めした開催スケジュールを参加予定者として登録されたユーザに通知すること、が記載されている。また、通知に対するユーザの返答を基に、仮決めされた開催スケジュールを再調整すること、が記載されている。
【先行技術文献】
【特許文献】
【０００３】
【特許文献１】特開２０００−２９９３９号公報
【発明の概要】
【発明が解決しようとする課題】
【０００４】
本発明の目的は、行事のスケジュール調整に主催者が関与しなくても、多数の人の要望を満たすスケジュールを作成できるようにすることである。
【課題を解決するための手段】
【０００５】
上記課題を解決するための請求項１の発明は、行事の仮スケジュールに固有の認証情報を発行する発行手段と、前記仮スケジュールを登録する登録手段と、前記認証情報を、少なくとも一人のユーザに通知する手段と、前記認証情報を受け付けた場合に、前記認証情報を入力したユーザに、登録済みの前記仮スケジュールに編集に用いる画面を提示する提示手段と、登録済みの前記仮スケジュールを前記行事の本スケジュールとして確定するための確定処理を実行する確定手段と、前記提示手段は、前記認証情報を受け付けた場合に、まだ確定処理が行われていなければ、前記認証情報を入力したユーザに前記画面を提示し、既に確定処理が行われていれば、前記認証情報を入力したユーザに前記画面を提示しないこと、を特徴とするスケジュール調整支援装置である。
【０００６】
また、請求項２の発明は、請求項１の発明において、前記仮スケジュールは前記行事の参加予定ユーザを含み、前記画面を用いて行われた操作の操作内容に応じて、登録済みの前記仮スケジュールを更新する更新手段と、前記更新手段により前記行事の参加予定ユーザが追加された場合に、追加された参加予定ユーザに、前記認証情報を通知する手段と、をさらに含むこと、を特徴とする。
【０００７】
また、請求項３の発明は、請求項１の発明において、登録済みの前記仮スケジュールに関するメッセージ投稿板に、特定の文字列を含むメッセージが投稿された場合に、少なくとも一人のユーザに対して警告を行う警告手段、をさらに含むことを特徴とする。
【０００８】
また、請求項４の発明は、請求項３の発明において、前記仮スケジュールは、前記行事の開催日時又は開催場所を含み、前記メッセージ投稿板に前記特定の文字列を含むメッセージが投稿された場合に、登録済みの前記仮スケジュールに含まれる開催日時又は開催場所と、登録済みの他の仮スケジュールに含まれる開催日時又は開催場所と、が予め定められた関係にあるか否かを判定する判定手段をさらに含み、前記警告手段は、登録済みの前記仮スケジュールに含まれる開催日時又は開催場所と、登録済みの他の仮スケジュールに含まれる開催日時又は開催場所と、が前記予め定められた関係にある場合に、前記投稿板に警告メッセージを投稿すること、を特徴とする。
【０００９】
また、上記課題を解決するための請求項５の発明は、行事の仮スケジュールに固有の認証情報を発行する発行手段、前記仮スケジュールを登録する登録手段、前記認証情報を、少なくとも一人のユーザに通知する手段、前記認証情報を受け付けた場合に、前記認証情報を入力したユーザに、登録済みの前記仮スケジュールに編集に用いる画面を提示する提示手段、登録済みの前記仮スケジュールを前記行事の本スケジュールとして確定するための確定処理を実行する確定手段、としてコンピュータを機能させるためのプログラムであって、前記提示手段は、前記認証情報を受け付けた場合に、まだ確定処理が行われていなければ、前記認証情報を入力したユーザに前記画面を提示し、既に確定処理が行われていれば、前記認証情報を入力したユーザに前記画面を提示しないこと、を特徴とするプログラムである。
【発明の効果】
【００１０】
請求項１、５の発明によれば、行事のスケジュール調整に主催者が関与しなくても、多数の人の要望を満たすスケジュールを作成できる。
【００１１】
請求項２の発明によれば、例えば、参加予定ユーザを追加したユーザが、参加予定ユーザとして追加されたユーザに、認証情報を伝える手間を軽減することができる。
【００１２】
また、請求項３の発明によれば、本構成を有しない場合と比較して、多数の人の要望を満たすスケジュールをより確実に作成できる。
【００１３】
また、請求項４の発明によれば、本構成を有しない場合と比較して、多数の人の要望を満たすスケジュールをより確実に作成できる。
【図面の簡単な説明】
【００１４】
【図１】スケジュール調整システム１の構成を例示する図である。
【図２】スケジュール調整システムで行われる処理を例示するシーケンス図である。
【図３】仮スケジュールデータを例示する図である。
【図４】電子メールの文面を例示する図である。
【図５】スケジュール調整システムで行われる処理を例示するシーケンス図である。
【図６】編集用ウェブページを例示する図である。
【図７】スケジュール調整システムで行われる処理を例示するシーケンス図である。
【図８】スケジュール調整システムで行われる処理を例示するシーケンス図である。
【図９】スケジュール調整システムで行われる処理を例示するシーケンス図である。
【図１０】スケジューラ画面を例示する図である。
【図１１】スケジュール調整システムで行われる処理を例示するシーケンス図である。
【発明を実施するための形態】
【００１５】
以下、本発明の実施形態の例について図面に基づき詳細に説明する。
【００１６】
図１は、本発明の実施形態に係るスケジュール調整システム１の構成を例示する図である。同図に示すように、スケジュール調整システム１は、スケジュール調整支援装置に相当するスケジュール管理サーバ２、メールサーバ４、及び複数のクライアントパーソナルコンピュータ６（以下、クライアントＰＣ６）を含む。スケジュール管理サーバ２、メールサーバ４、及び各クライアントＰＣ６、はネットワークに接続されている。
【００１７】
スケジュール管理サーバ２は、公知のサーバ装置であり、マイクロプロセッサ、主記憶、ハードディスク、及びネットワークインタフェース等を備える。
【００１８】
主記憶には、ＤＶＤ（登録商標）−ＲＯＭ等のコンピュータ読取可能な情報記憶媒体から読み出されたプログラムが格納されており、マイクロプロセッサがこのプログラムを実行することによって、スケジュール管理サーバ２において、ＩＤ発行部２ａとＩＤ管理部２ｂと仮スケジュール管理部２ｃとＩＤ判定部２ｄとスケジュール管理部２ｅとスケジュール編集部２ｆとが実現される。ＩＤ発行部２ａ、ＩＤ判定部２ｄ、及びスケジュール編集部２ｆはマイクロプロセッサにより実現される。ＩＤ管理部２ｂは、ハードディスクにより実現される。仮スケジュール管理部２ｃ及びスケジュール管理部２ｅは、マイクロプロセッサとハードディスクにより実現される。なお、このプログラムは、ネットワーク等の通信網から供給されて主記憶に格納されてもよい。
【００１９】
このスケジュール調整システム１では、行事（例えば、会議）の主催者が、自分のクライアントＰＣ６を用いてスケジュール管理サーバ２にログインし、仮スケジュール登録操作を行うことで、スケジュール管理サーバ２に当該行事の仮スケジュールの登録を行えるようになっている。具体的には、主催者により仮スケジュール登録操作が行われた場合に、図２のシーケンス図に例示する処理が実行される。
【００２０】
すなわち、仮スケジュール登録操作が行われると、主催のクライアントＰＣからスケジュール管理サーバ２に仮スケジュール登録要求が送信される。仮スケジュール登録要求には、主催者が仮スケジュール登録操作において入力した情報が含まれる。具体的には、行事のタイトル、添付ファイル、及び主催者が入力したコメントなどが含まれる。なお、さらに、行事の参加予定者が含まれてもよい。
【００２１】
仮スケジュール登録要求を受信したスケジュール管理サーバ２では、まず、ＩＤ発行部２ａ（発行手段）が、登録される仮スケジュールに固有の認証ＩＤを発行する（Ｓ１０１）。また、ＩＤ管理部２ｂが、Ｓ１０１で発行された認証ＩＤと、その認証ＩＤが有効であるか否かを示す有効性フラグと、を関連づけて記憶する（Ｓ１０２）。この時点では、有効に設定される。通常は、有効期限が切れた時点で、無効に切り替わる。
【００２２】
また、仮スケジュール管理部２ｃ（登録手段）が、仮スケジュール登録要求の内容に従って、行事の仮スケジュールを登録する（Ｓ１０３）。すなわち、仮スケジュール管理部２ｃは、行事の仮スケジュールを示す仮スケジュールデータを仮スケジュール登録要求の内容に従って生成し、生成した仮スケジュールデータを、Ｓ１０１で発行された認証ＩＤと関連づけて記憶する。図３に、仮スケジュールデータを例示した。同図に示すように、仮スケジュールデータには、行事のタイトル、添付ファイル、行事の開催予定日時、開催予定場所、主催者、参加予定者、コメントリスト、添付ファイルが含まれる。Ｓ１０３の時点では、開催予定日時、開催予定場所、及び参加予定者がｎｕｌｌに設定される。また、コメントリストには、仮スケジュール登録要求中のコメントが含まれる。
【００２３】
そして最後に、ＩＤ発行部２ａ（通知手段）が、Ｓ１０１で発行された認証ＩＤを、少なくとも一人のユーザに通知する（Ｓ１０４）。本実施形態の場合、ＩＤ発行部２ａは、ハードディスクに予め記憶されるログインユーザ（すなわち、主催者）の電子メールアドレスを読み出し、読み出した電子メールアドレス宛で、認証ＩＤを通知するための電子メールを送信する。送信された電子メールはメールサーバ４を介して主催者のクライアントＰＣに送信される。図４に、電子メールの文面を例示した。同図に示すように、電子メールには、認証ＩＤを含むＵＲＬが記載される。下線が付された部分が認証ＩＤを示している。
【００２４】
電子メールを受け取った主催者は、例えば、行事に興味を示すと目されるユーザに、当該電子メールを転送する。その後、電子メールを受け取ったユーザは、電子メールに含まれるＵＲＬをブラウザの入力欄に入力し、仮スケジュールの内容を確認する。具体的には、ＵＲＬに含まれる認証ＩＤ（以下、認証ＩＤｘと表記する）がスケジュール管理サーバ２に送信され、認証ＩＤｘを受信したスケジュール管理サーバ２において、図５のシーケンス図に例示する処理が実行される。
【００２５】
すなわち、まず、ＩＤ判定部２ｄは、認証ＩＤｘに関連づけてＩＤ管理部２ｂに保持される有効性フラグを参照し、認証ＩＤｘが有効であるか否かを判定する（Ｓ２０１）。そして、認証ＩＤｘが有効である場合（Ｓ２０１のＹｅｓ）、スケジュール編集部２ｇ（提供手段）は、認証ＩＤｘが割り当てられた仮スケジュールを編集するためのウェブユーザインタフェース（以下、ＷＵＩと表記する）を含む編集用ウェブページを、認証ＩＤｘの送信元のユーザのクライアントＰＣ６に送信する（Ｓ２０２）。具体的には、スケジュール編集部２ｇは、認証ＩＤｘに関連づけて仮スケジュール管理部２ｃに記憶される仮スケジュールデータに基づいて編集用ウェブページを生成し、生成した編集用ウェブページを送信する。
【００２６】
図６に、編集用ウェブページを例示した。同図に示すように、編集用ウェブページには、仮スケジュールデータの内容が含まれる。すなわち、編集用ウェブページは、仮スケジュールデータに含まれる、行事のタイトル、行事の開催予定日時、行事の開催予定場所、登録者（すなわち、主催者）、及び参加予定ユーザが表示される部分９を含む。また、編集用ウェブページは、仮スケジュールデータに含まれるコメントリスト中のコメントが表示されるコメント投稿板１３を含む。また、編集用ウェブページは、仮スケジュールデータ中の添付ファイルが表示される部分１１を含む。添付ファイルで行事の内容を確認したユーザは、例えば自分より適任のユーザがいる場合、図４の電子メールをさらに転送する。
【００２７】
ここで、図６に示すように、編集用ウェブページには、ボタン８が表示される。ユーザは、ボタン８を操作することによって、添付ファイルの追加を行える。
【００２８】
また、編集用ウェブページには、ボタン１０が表示される。ユーザは、ボタン１０を操作することによって、行事の開催予定日時、行事の開催所定場所、及び行事の参加予定ユーザの変更を行える。具体的には、ユーザがボタン１０を操作した場合に、操作内容を示す情報を含む更新要求がスケジュール管理サーバ２に送信され、更新要求を受信したスケジュール管理サーバ２において図７のシーケンス図に例示される処理が実行される。
【００２９】
すなわち、スケジュール編集部２ｆ（更新手段）は、更新要求の内容に応じて、認証ＩＤｘが割り当てられた仮スケジュールを更新する（Ｓ３０１）。例えば、スケジュール編集部２ｆは、認証ＩＤｘに関連づけられた仮スケジュールデータ（以下、仮スケジュールデータＸと表記する）中の開催予定場所を変更する。また、例えば、スケジュール編集部２ｆは、仮スケジュールデータＸ中の開催予定日時を変更する。また、例えば、編集用ウェブページにおいて新たな参加予定ユーザが追加された場合、スケジュール編集部２ｆは、仮スケジュールデータＸ中の参加予定ユーザに新たな参加予定ユーザを追加する。例えば、編集用ウェブページにおいてユーザが自分を新たな参加予定ユーザとして追加する場合が考えられる。
【００３０】
なお、Ｓ３０１で参加予定ユーザが追加された場合、スケジュール編集部２ｆは、追加された参加予定ユーザに、認証ＩＤｘを通知する（Ｓ３０２）。具体的には、図４に示す電子メールを、追加された参加予定ユーザ宛で送信する。これにより、追加された参加予定ユーザも、仮スケジュールの確認及び変更を行える。
【００３１】
また、図６に示すように、編集用ウェブページには、ボタン１２が表示される。ユーザは、図示しないコメント入力欄にメッセージを入力してボタン１２を押下することにより、コメント投稿板１３へのコメントの投稿を行える。具体的には、ユーザがボタン１２を操作した場合に、ユーザがコメント投稿板１３に投稿したコメント、すなわち、ユーザがコメント入力欄に入力したメッセージ、がスケジュール管理サーバ２に送信され、メッセージ（以下、メッセージＸと表記する）を受信したスケジュール管理サーバ２において図８のシーケンス図に例示される処理が実行される。
【００３２】
すなわち、スケジュール編集部２ｆは、仮スケジュールデータＸ中のコメントリストにコメントを追加する（Ｓ４０１）。すなわち、スケジュール編集部２ｆは、仮スケジュールデータＸ中のコメントリストに、最新のコメントとしてメッセージＸを追加する。そして、スケジュール編集部２ｆは、編集用ウェブページを更新する（Ｓ４０２）。すなわち、スケジュール編集部２ｆは、仮スケジュールデータＸに基づいて編集用ウェブページを再生成する。そして、スケジュール編集部２ｆは、更新された編集用ウェブページを送信する（Ｓ４０３）。コメント投稿板１３でのコメントのやりとりにより、編集用ウェブページを参照可能なユーザ間で、スケジュール調整が行われる。
【００３３】
また、図６に示すように、編集用ウェブページには、ボタン１４が表示される。ユーザが、ボタン１４を押下することにより、仮スケジュールが本スケジュールとして確定される。例えば、ユーザは、コメントのやりとりの結果、他のユーザの合意が概ね得られた場合に、ボタン１４を押下することで、仮スケジュールの確定を行える。具体的には、ユーザがボタン１４を押下した場合に、確定要求がスケジュール管理サーバ２に送信され、確定要求メッセージを受信したスケジュール管理サーバ２において図９のシーケンス図に例示される確定処理（Ｓ５０１及びＳ５０２）が実行される。
【００３４】
すなわち、ＩＤ管理部２ｂ（確定手段）が、認証ＩＤｘを無効にする（Ｓ５０１）。具体的には、ＩＤ管理部２ｂが、認証ＩＤｘに関連づけられた有効性フラグの値を「無効」に設定する。また、スケジュール編集部２ｆ（確定手段）が、認証ＩＤｘに関連づけて仮スケジュール管理部２ｃに記憶される仮スケジュールデータＸを、本スケジュールデータＸとしてスケジュール管理部２ｅに登録（保存）する（Ｓ５０２）。確定処理以後、ユーザが上記ＵＲＬを入力しても、編集用ウェブページが表示されなくなる。
【００３５】
また、確定処理以後、本スケジュールデータＸは、一般的なスケジューラ機能を有する上記スケジュール管理部２ｅにより管理される。例えば、ユーザが日時条件を指定した場合、スケジュール管理部２ｅは、当該ユーザを参加予定ユーザとして含み、且つ、当該日時条件を満足する開催予定日時を含む本スケジュールデータを特定し、当該ユーザに提示されるスケジューラ画面に、特定した本スケジュールデータ中のタイトルを、当該本スケジュールデータの内容を示すウェブページへのハイパーリンクとして表示させる。なお、本実施形態の場合、スケジュール管理部２ｅは、ユーザが日時条件を指定した場合、当該ユーザを参加予定者として含み、且つ、当該日時条件を満足する開催予定日時を含む仮スケジュールデータを特定し、特定した仮スケジュールデータ中のタイトルを、当該仮スケジュールデータを編集するための編集用ウェブページ（図６参照）へのハイパーリンクとして上記スケジューラ画面に表示させることも行う。そのため、仮スケジュールの参加予定ユーザは、上記ＵＲＬを入力せずとも、編集用ウェブページへのアクセスを行える。図１０に、ユーザが日時条件を指定した場合に提示されるスケジューラ画面を例示した。
【００３６】
なお、本発明の実施形態は、上記実施形態だけに限らない。
【００３７】
例えば、ＩＤ発行部２ａは、Ｓ１０４のステップにおいて、認証ＩＤを通知するための電子メール（図４参照）を、スケジュール管理サーバ２に登録されているユーザ全員に送ってもよい。
【００３８】
また、例えば、スケジュール管理サーバ２は、スケジュールが確定されつつあることを、コメント投稿板１３に投稿されたメッセージから検知し、スケジュールが確定されつつあることを検知した場合に、少なくとも１人のユーザに警告を行ってよい。すなわち、スケジュール管理サーバ２は、メッセージ（メッセージＸと表記する）を受信した場合に、図９のシーケンス図に例示される処理を実行してもよい。
【００３９】
すなわち、スケジュール編集部２ｆは、Ｓ４０１（図８参照）のステップと同様にして、仮スケジュールデータＸ中のコメントリストにコメント、すなわち、メッセージＸを追加する（Ｓ６０１）。そして、スケジュール編集部２ｆは、仮スケジュールが確定されつつあるか否かを判定する。すなわち、スケジュール編集部２ｆは、メッセージＸ中における特定文字列「確定」の有無を判定する（Ｓ６０２）。特定文字列「確定」を含むメッセージの例としては、例えば、「そろそろ確定しましょうか？」などがある。メッセージＸ中に特定文字列が存在する場合（Ｓ６０２のＹｅｓ）、スケジュール編集部２ｆ（判定手段）は、仮スケジュールデータＸ中の開催予定場所と、仮スケジュール管理部２ｃに記憶される他の仮スケジュールデータ中の開催予定場所と、が同一であるか否かを判定する（Ｓ６０３）。そして、仮スケジュールデータＸ中の開催予定場所と、他の仮スケジュールデータ中の開催予定場所と、が同一である場合（Ｓ６０３のＹｅｓ）、スケジュール編集部２ｆ（警告手段）は、予め定められた警告メッセージを最新のコメントとして仮スケジュールデータＸ中のコメントリストに追加する（Ｓ６０４）。警告メッセージの例としては、「開催場所を変更してください」などが考えられる。なお、メッセージＸ中に特定文字列が存在しない場合や（Ｓ６０２のＮｏ）、仮スケジュールデータＸ中の開催予定場所と、他の仮スケジュールデータ中の開催場所と、が異なる場合（Ｓ６０３のＮｏ）は、Ｓ６０４のステップがスキップされる。
【００４０】
そして、スケジュール編集部２ｆは、Ｓ４０３及びＳ４０４のステップと同様にして、編集用ウェブページを更新し（Ｓ６０５）、更新した編集用ウェブページをメッセージＸの送信元へ送信する（Ｓ６０６）。なお、スケジュール編集部２ｆ（判定手段）は、Ｓ６０３のステップにおいて、仮スケジュールデータＸ中の開催予定日時が示す期間の少なくとも一部が、他の仮スケジュールデータ中の開催予定日時が示す期間の少なくとも一部と、重なるか否かを判定してもよい。この場合、スケジュール編集部２ｆは、警告メッセージの追加を、仮スケジュールデータＸ中の開催予定日時が示す期間の少なくとも一部が、他の仮スケジュールデータ中の開催予定日時が示す期間の少なくとも一部と、重なる場合に（Ｓ６０３のＹｅｓ）、行えばよい。
【符号の説明】
【００４１】
１  スケジュール調整システム、２  スケジュール管理サーバ、２ａ  ＩＤ発行部、２ｂ  ＩＤ管理部、２ｃ  仮スケジュール管理部、２ｄ  ＩＤ判定部、２ｅ  スケジュール管理部、２ｆ  スケジュール編集部、４  メールサーバ、６  クライアントＰＣ、８，１０，１２，１４  ボタン、９，１１  部分、１３  コメント投稿板。
【図１】
2013200621.tif 000003
【図２】
2013200621.tif 000004
【図３】
2013200621.tif 000005
【図４】
2013200621.tif 000006
【図５】
2013200621.tif 000007
【図６】
2013200621.tif 000008
【図７】
2013200621.tif 000009
【図８】
2013200621.tif 000010
【図９】
2013200621.tif 000011
【図１０】
2013200621.tif 000012
【図１１】
2013200621.tif 000013